(57)【要約】【課題】タオル掛けやクローゼットにおいて、カビ発生を防止するための新規な技術を提案する。【解決手段】本発明は、物を掛けるための物掛け用部材から抗菌成分が放出される物掛け装置、とするものであり、物掛け装置としては、洗面室、浴室、トイレ、キッチンなどの水周り設備に設けられるタオル掛けや布掛け、また、クローゼットなどの衣類収納に設けられるハンガーパイプなどが考えられる。このように、物掛け用部材から抗菌成分が放出される構成とすることで、殺菌灯を使用せずにタオルや衣類などについてのカビ発生を防止することができる。また、抗菌成分は、イソチオシアン酸エステルとする。【選択図】図１
2012040249.tif 000002
【特許請求の範囲】
【請求項１】
物を掛けるための物掛け用部材から抗菌成分が放出される物掛け装置。
【請求項２】
前記抗菌成分は、イソチオシアン酸エステルとする、
ことを特徴とする請求項１に記載の物掛け装置。
【請求項３】
前記物掛け用部材には、前記有効成分として抗菌成分を含む抗菌剤が入れられるカートリッジ式容器が、着脱可能に設けられる、
ことを特徴とする請求項１又は請求項２に記載の物掛け装置。
【請求項４】
前記カートリッジ式容器は、前記物掛け用部材の内部に収容されて隠される、
ことを特徴とする請求項３に記載の物掛け装置。
【請求項５】
前記物掛け用部材から放出される抗菌成分の放出量は、任意に設定可能とする、
ことを特徴とする請求項１乃至請求項４のいずれか一項に記載の物掛け装置。
【請求項６】
前記物掛け用部材に物が掛けられた場合に、前記抗菌成分が放出される、
ことを特徴とする請求項１乃至請求項５のいずれか一項に記載の物掛け装置。
【請求項７】
前記物掛け用部材は、タオルを掛けるためものであって、物掛け装置がタオル掛けとして構成される、
ことを特徴とする請求項１乃至請求項６のいずれか一項に記載の物掛け装置。
【請求項８】
前記物掛け用部材は、衣類を掛けるためものであって、物掛け装置がハンガーパイプとして構成される、
ことを特徴とする請求項１乃至請求項６のいずれか一項に記載の物掛け装置。
【請求項９】
前記物掛け用部材は、カーテンを掛けるためのものであって、物掛け装置がカーテンレールとして構成される、こととするものである。
ことを特徴とする請求項１乃至請求項３のいずれか一項に記載の物掛け装置。
【発明の詳細な説明】
【技術分野】
【０００１】
本発明は、タオルや布巾などの布類を掛けるためのタオル掛けや、ハンガーに吊るした衣類を掛けるためのハンガーパイプや、カーテンを掛けるためのカーテンレールなどの、物掛け装置に関するものである。
【背景技術】
【０００２】
従来、殺菌灯などの電気器具を用いて、タオルや衣服の殺菌を行う構成が知られており、これについて開示する文献も存在する（例えば、特許文献１、２参照）。
【０００３】
特許文献１では、タオル掛けに掛けられたタオルを殺菌灯により殺菌することで、タオルを清潔に保つことについて記載がされている。
【０００４】
また、特許文献２では、ロッカー内に収容する白衣を殺菌することについて記載がされている。
【先行技術文献】
【特許文献】
【０００５】
【特許文献１】特開平１０−３１７６９２号公報
【特許文献２】実用新案登録第２５７８５２０号明細書
【発明の概要】
【発明が解決しようとする課題】
【０００６】
上述のように、タオルや衣類の殺菌を目的として殺菌灯が利用されることは周知であるが、殺菌灯、及び、それを点灯させるための装置が必要となって、設置コストがかかってしまうものであった。また、殺菌灯を点灯させるための電力も必要となって、運用コストもかかってしまうものであった。
【０００７】
特に、一般家庭の洗面室、バスルームなどに設置されるタオル掛けや、ハンガーパイプを有するクローゼットについて、タオルや衣類の殺菌を行う手段として殺菌灯を利用することは、設置コスト、運用コストの観点から極めて困難であると考えられる。
【０００８】
他方、一般家庭の洗面室、バスルーム、クローゼットにおいては、湿気がこもり易い環境であるため、特に、カビ菌の発生を抑えるための手段が望まれていた。例えば、タオル掛けであれば、バスルーム内のタオル掛けに掛けられた体を洗うためのタオルにカビ菌が繁殖して悪臭が発生することや、洗面室のタオル掛けに掛けられた使用済みのタオルが生乾きとなり、同じく悪臭が発生してしまうなどの問題があった。また、クローゼットにおいては、換気をしないことによって、衣類にカビが発生してしまうなどの問題があった。
【０００９】
そこで、本発明は、以上の問題点に鑑み、タオル掛けやクローゼットにおいて、カビ発生を防止するための新規な技術を提案するものである。
【００１０】
また、カビ発生を防止する場合には、タオル掛けやクローゼットでのカビ発生の防止に適した抗菌成分を採用するとともに、その抗菌成分による効果の持続性や、メンテナンス性が考慮されるべきである。
【００１１】
そこで、本発明の他の課題は、タオル掛けやクローゼットでのカビ発生の防止に適した抗菌成分を採用するとともに、効果の持続性に優れ、メンテナンス性に優れた構成を提案するものである。
【００１２】
さらに、カーテンレールに掛けられるカーテンについて、カーテンの室外側に配置に配置されるサッシの間に形成される閉鎖空間において、サッシのガラス面に生じる結露の湿気により、サッシやカーテンにカビが発生することも問題とされていた。
【００１３】
そこで、本発明の他の課題は、物掛け装置の一つの態様であるカーテンレールに着目し、サッシとカーテンとの間でのカビ発生を防止するための構成についても提案するものである。
【課題を解決するための手段】
【００１４】
本発明の解決しようとする課題は以上の如くであり、次にこの課題を解決するための手段を説明する。
【００１５】
即ち、請求項１に記載のごとく、
物を掛けるための物掛け用部材から抗菌成分が放出される物掛け装置、とするものである。
【００１６】
また、請求項２に記載のごとく、
前記抗菌成分は、イソチオシアン酸エステルとする、ものである。
【００１７】
また、請求項３に記載のごとく、
前記物掛け用部材には、前記有効成分として抗菌成分を含む抗菌剤が入れられるカートリッジ式容器が、着脱可能に設けられる、こととするものである。
【００１８】
また、請求項４に記載のごとく、
前記カートリッジ式容器は、前記物掛け用部材の内部に収容されて隠される、こととするものである。
【００１９】
また、請求項５に記載のごとく、
前記物掛け用部材から放出される抗菌成分の放出量は、任意に設定可能とする、ものである。
【００２０】
また、請求項６に記載のごとく、
前記物掛け用部材に物が掛けられた場合に、前記抗菌成分が放出される、こととするものである。
【００２１】
また、請求項７に記載のごとく、
前記物掛け用部材は、タオルを掛けるためものであって、物掛け装置がタオル掛けとして構成される、こととするものである。
【００２２】
また、請求項８に記載のごとく、
前記物掛け用部材は、衣類を掛けるためものであって、物掛け装置がハンガーパイプとして構成される、こととするものである。
【００２３】
また、請求項９に記載のごとく、
前記物掛け用部材は、カーテンを掛けるためのものであって、物掛け装置がカーテンレールとして構成される、こととするものである。
【発明の効果】
【００２４】
本発明の効果として、以下に示すような効果を奏する。
【００２５】
即ち、請求項１に記載の発明においては、
物掛け用部材から抗菌成分が放出される構成とすることで、殺菌灯を使用せずにタオルや衣類などについてのカビ発生を防止することができる。
【００２６】
また、請求項２に記載の発明においては、
カビ（青カビ、ススカビなど）の発生を防ぐ抗菌作用を発揮することができる。
【００２７】
また、請求項３に記載の発明においては、
抗菌剤が消耗し、抗菌成分の放出量が減少した際には、カートリッジ式容器を交換することで、メンテナンスが行える。
【００２８】
また、請求項４に記載の発明においては、
物掛け装置の意匠性を損なうことなく、本発明を実施することが可能となる。特に、意匠性に優れた物掛け装置については、例えば、カートリッジ式容器が物掛け用部材に吊るされるなどすると、意匠性を損なうこととなるが、このような不具合を回避することができる。
【００２９】
また、請求項５に記載の発明においては、
例えば、湿気の多い時期などでは、多量の抗菌成分Ｋを放出させることで、確実にカビ発生を防止することが可能となる。一方で、物を掛けない場合においては、抗菌成分の放出を無くすことで、抗菌成分の無駄な放出を無くすことができ、抗菌剤Ｚの無駄な消耗を防ぐことができる。これにより、カートリッジ式容器の交換回数も少なくなって、エコロジーな運用が可能となる。
【００３０】
また、請求項６に記載の発明においては、
タオルが掛けられた場合にのみ抗菌成分を放出させることができ、抗菌成分の無駄な放出がなく、抗菌成分を効果的に利用できることとなる。
【００３１】
また、請求項７に記載の発明においては、
抗菌成分によってタオルでのカビ発生を防止することが可能となり、また、カビに起因する悪臭（生乾き臭など）の発生も防止することが可能となって、常に清潔な状態で、かつ、快適な使用を実現できることとなる。
【００３２】
また、請求項８に記載の発明においては、
衣類についてのカビの発生を防止することが可能となる。
【００３３】
また、請求項９に記載の発明においては、
カーテンとサッシの間におけるカビの発生を防止することが可能となる。
【図面の簡単な説明】
【００３４】
【図１】タオル掛けの実施例１の概要について示す図。
【図２】タオル掛けの分解図について示す図。
【図３】タオル掛けの断面の構成について示す図。
【図４】（ａ）は内外の通気孔同士を完全に連通させる設定について示す図。（ｂ）は内外の通気孔同士を一部連通させる設定について示す図。（ｃ）は内外の通気孔同士が連通されない設定について示す図。
【図５】ハンガーパイプの実施例について説明する図。
【図６】（ａ）は、タオルが掛けられない状況での回動部材の状態について示す図。（ｂ）は、タオルが掛けられない状況でのホルダーの内部構成について示す図。
【図７】（ａ）は、タオルが掛けられた状況での回動部材の状態について示す図。（ｂ）は、タオルが掛けられない状況でのホルダーの内部構成について示す図。
【図８】実施例４の構成について説明する縦断面図。
【図９】（ａ）は抗菌成分が閉鎖空間内に充満する状態について説明する正面図。（ｂ）はカーテンが開かれた際の状況について示す正面図。
【図１０】カーテンが閉じられた際における物掛け用部材の状況について示す正面図。
【図１１】カーテンが開かれた際における物掛け用部材の状況について示す正面図。
【発明を実施するための形態】
【００３５】
本発明は、物を掛けるための物掛け用部材から抗菌成分が放出される物掛け装置、とするものであり、物掛け装置としては、洗面室、浴室、トイレ、キッチンなどの水周り設備に設けられるタオル掛けや布掛け、また、クローゼット、ロッカーなどの衣類収納に設けられるハンガーパイプなどが考えられる。
【００３６】
このように、物掛け用部材から抗菌成分が放出される構成とすることで、殺菌灯を使用せずにタオルや衣類などについてのカビ発生を防止することができる。
【００３７】
また、抗菌成分は、イソチオシアン酸エステルとするものである。イソチオシアン酸エステルは、例えば、ＡＩＴ（アリルイソチオシアネート）として市販されるものが選択され得る。このＡＩＴは、カビ（青カビ、ススカビなど）の発生を防ぐ抗菌作用を発揮するものとして広く知られ、古くから食されているワサビやカラシなどに含まれる成分であって、人肌に触れるタオルや衣類のカビ発生防止に用いる場合であっても、特段の問題が生じるものではない。
【００３８】
以下、物掛け装置の具体的な実施の形態について、実施例を用いて説明するが、これらの実施例に限定されるものではない。
つまり、例えば、物掛け用部材の形態であれば、棒状やパイプ状のものであればよく、この物掛け用部材から抗菌成分が放出される形態とすることによれば、本発明の目的は達成できるものである。また、各実施例では、物掛け用部材とカートリッジ式容器を別体とする構成とするものであるが、物掛け用部材自体に抗菌成分を含む抗菌剤が充填される、若しくは、物掛け用部材の周囲に抗菌成分を含む抗菌剤からなるコーティングが施される、物掛け用部材そのものから抗菌剤が放出される形態も考えられる。また、例えば、後述するカートリッジ式容器そのものにて物掛け用部材を構成することも考えられる。
【実施例１】
【００３９】
図１乃至図４に示すごとく、実施例１は、物掛け装置としてタオル掛け１を構成する場合の例である。
タオル掛け１は、タオル５等の布類が掛けられる物掛け用部材２と、物掛け用部材２の内部に収納されるカートリッジ式容器３・３と、物掛け用部材２の端部分を支持するための支持部材４・４と、を有して構成されている。また、前記物掛け用部材２には、前記有効成分として抗菌成分Ｋを含む抗菌剤Ｚが入れられるカートリッジ式容器３・３が、着脱可能に設けられる構成としている。
【００４０】
以下詳述すると、図２及び図３に示すごとく、物掛け用部材２は、タオル５が掛けられる外パイプ部材２Ａと、この外パイプ部材２Ａの内側に配置される内パイプ部材２Ｂと、から二重構造のパイプ部材にて構成される。外パイプ部材２Ａの周面には、外パイプ部材２Ａの内外を通じさせる複数の通気孔２ａが設けられている。
【００４１】
また、図２に示すごとく、内パイプ部材２Ｂの周面には、内パイプ部材２Ｂの内外を通じさせる溝状の複数の通気孔２ｂが設けられている。また、内パイプ部材２Ｂは、その両端部が支持部材４・４に対し着脱可能に設けられている。また、内パイプ部材２Ｂは、支持部材４・４に取り付けられた状態においては、支持部材４・４に対して相対回転不能となるように構成される。
【００４２】
なお、支持部材４・４による内パイプ部材２Ｂの支持方法は特に限定されるものではなく、例えば、支持部材４・４を弾性変形させて撓まわせることで内パイプ部材２Ｂが取り外され、また、取り付けにおいても、支持部材４・４を弾性変形させて撓ませつつ支持部材４・４の間に内パイプ部材２Ｂを嵌入させる、などといった形態が考えられる。なお、この内パイプ部材２Ｂの取り付け、取り外しの際には、外パイプ部材２Ａ内に内パイプ部材２Ｂが挿入された状態で行われる事となる。
【００４３】
また、図３に示すごとく、外パイプ部材２Ａは、内パイプ部材２Ｂに対して相対回転可能に設けられている。また、両パイプ部材の周面には、それぞれ複数の通気孔２ａ・２ｂが形成されており、外パイプ部材２Ａの角度位置を設定することによって、通気孔２ａ・２ｂの連通の度合いが調整できるようになっている。
【００４４】
例えば、図４（ａ）においては、通気孔２ａ・２ｂの位置が一致するように外パイプ部材２Ａの角度位置が設定されることで、両通気孔２ａ・２ｂが完全に連通される設定となる。また、図４（ｂ）においては、通気孔２ａ・２ｂの一部が連通するように外パイプ部材２Ａの角度位置が設定されたものとなっている。さらに、図４（ｃ）のように、通気孔２ａ・２ｂ同士が完全に連通しない状態に外パイプ部材２Ａの角度位置を設定することも可能である。
【００４５】
また、図２及び図３に示すごとく、カートリッジ式容器３・３は、内パイプ部材２Ｂの内部に収められるように、筒状容器に構成されている。また、カートリッジ式容器３・３には、有効成分として抗菌成分Ｋを含む抗菌剤Ｚが入れられている。また、カートリッジ式容器３・３は、内パイプ部材２Ｂに対して着脱可能に設けられており、抗菌剤Ｚが消耗し、抗菌成分Ｋの放出量が減少した際には、内パイプ部材２Ｂを支持部材４・４から取り外し、カートリッジ式容器３・３を交換することで、メンテナンスが行えるようになっている。なお、内パイプ部材２Ｂを支持部材４・４から取り外す形態とするほか、支持部材４・４の端部に、小窓と蓋体を設け、支持部材の小窓から内パイプ部材に対してカートリッジ式容器を挿入、取り出し可能とする形態なども考えられる。
【００４６】
また、図２及び図３に示すごとく、本実施例では、内パイプ部材２Ｂの略半分の長さの二本のカートリッジ式容器３・３が用いられ、これらが長さ方向に並べて配置されることとしている。このように内パイプ部材２Ｂよりも短い複数本のカートリッジ式容器３・３を利用する形態とすることで、内パイプ部材２Ｂの長さが異なるタオル掛けについて、カートリッジ式容器の利用本数を変更することで対応することが可能となり、カートリッジ式容器について汎用性を持たせることが可能となる。例えば、比較的幅の広いバスタオルを掛けるための幅広の物掛け用部材を有するタオル掛けを構成する場合には、カートリッジ式容器の本数を増やすことなどで対応が可能となるものである。
【００４７】
また、図３に示すごとく、カートリッジ式容器３に収納される抗菌剤Ｚは、有効成分として抗菌成分Ｋを含むものであり、この抗菌成分Ｋをイソチオシアン酸エステルとするものである。イソチオシアン酸エステルは、例えば、ＡＩＴ（アリルイソチオシアネート）として市販されるものが選択され得る。このＡＩＴは、カビ（青カビ、ススカビなど）の発生を防ぐ抗菌作用を発揮するものとして広く知られ、古くから食されているワサビやカラシなどに含まれる成分であって、人肌に触れるタオルや衣類のカビ発生防止に用いる場合であっても、特段の問題が生じるものではない。
【００４８】
また、図３に示すごとく、カートリッジ式容器３は、蓋のない密閉状容器の形態や、蓋を設けて抗菌剤Ｚの補充を可能とする容器などが考えられる。また、カートリッジ式容器３の素材は、抗菌成分Ｋであるイソチオシアン酸エステルを透過させて放出するために、ポリエチレンやポリプロピレンなどにて構成することが考えられる。これにより、自然に抗菌成分Ｋが放出されるため、電力が不要なエコロジーな実施形態を実現することができる。
【００４９】
なお、抗菌成分としてＡＩＴを使用する場合、所謂ワサビ臭が発生することになるが、このワサビ臭を他の揮発系の物質でマスキング（臭いを感じなくさせる）をすることも考えられる。即ち、抗菌剤について、ＡＩＴのワサビ臭をマスキングするためのマスキング剤を添加することが考えられる。また、このマスキング剤についても、ＡＩＴと同程度にカートリッジ式容器を透過するものが好ましく、例えば、リモネンなどが挙げられる。
【００５０】
そして、以上の構成により、図３に示すごとく、カートリッジ式容器３から放出される抗菌成分Ｋが、通気孔２ａ・２ｂを通じて物掛け用部材２の外部に放出され、この抗菌成分Ｋによってタオル５でのカビ発生を防止することが可能となり、また、カビや細菌の繁殖に起因する悪臭（生乾き臭など）の発生も防止することが可能となって、常に清潔な状態で、かつ、快適な使用を実現できることとなる。
【００５１】
また、図４（ａ）（ｂ）に示すごとく、外パイプ部材２Ａの角度位置の設定により、前記物掛け用部材２から放出される抗菌成分Ｋの放出量は、任意に設定可能とすることができる。例えば、湿気の多い時期などでは、図４（ａ）の状態に設定し、多量の抗菌成分Ｋを放出させることで、確実にカビ発生を防止することが可能となる。一方で、タオルを掛けない場合においては、図４（ｃ）の状態に設定し、抗菌成分の放出を無くすことで、抗菌成分Ｋの無駄な放出を無くすことができ、抗菌剤Ｚの無駄な消耗を防ぐことができる。これにより、カートリッジ式容器３の交換回数も少なくなって、エコロジーな運用が可能となる。
【００５２】
また、図３に示すごとく、物掛け用部材２にタオル５がかけられた際には、物掛け用部材２の下方にタオル５にて囲まれた空間Ｓが形成されることになる。
【００５３】
これにより、図３に示すごとく、空間Ｓ内において抗菌成分Ｋを滞留させることが可能となり、抗菌成分Ｋによるカビ発生の防止作用を効果的に発揮させることが可能となる。仮に、空間Ｓを形成せずに、単にタオル５の周囲に抗菌成分Ｋを漂わせる構成とすると、この抗菌成分Ｋが周りの空気に希釈されてしまい、抗菌成分Ｋによるカビ発生の防止作用が十分に発揮されないこととなり、また、抗菌成分Ｋを無駄に消耗してしまうこととなってしまう。
【００５４】
また、図１及び図３に示すごとく、カートリッジ式容器３は、物掛け用部材２の内部に収容されて隠されることとなっている。
【００５５】
これにより、タオル掛け１の意匠性を損なうことなく、本発明を実施することが可能となる。特に、意匠性に優れたタオル掛けや、金属製のタオル掛けについては、例えば、カートリッジ式容器３がタオル掛けに吊るされるなどすると、意匠性を損なうこととなるが、以上の実施形態によれば、このような不具合を回避することができる。
【００５６】
なお、以上の形態では、図１に示すごとく、タオル掛け１は、一本の物掛け用部材２が支持部材４・４を介して壁付けされる形態のものとしたが、物掛け用部材２の本数を増やした形態も考えられる。また、浴室のドアに設置されるタオル掛けや、複数の物掛け用部材を並列してなる床置きのタオル掛けについても、上記の形態を適用できる。また、物掛け用部材は直線状のものとする他、物掛け用部材がリング状に構成されるタオル掛けリングなどについても適用可能である。
【００５７】
また、図１に示すカートリッジ式容器３を例えば半透明の容器に構成するとともに、抗菌剤Ｚを有色（例えば、緑色）とすることによって、抗菌剤Ｚの消耗具合を目視確認できる構成とすることが好ましい。これによれば、物掛け用部材２を取り外すことなく、通気孔２ａ・２ｂを介して抗菌剤Ｚの交換の要否を判断することが可能となる。
【実施例２】
【００５８】
図５に示すごとく、実施例２は、物掛け装置としてハンガーパイプ１０を構成する場合の例である。
このハンガーパイプ１０においても、実施例１と同様の構成を採用することで、物掛け用部材１２に対し、ハンガー１３・１３にて吊るされる衣類１１・１１について、抗菌成分Ｋによる抗菌（カビ発生の防止）を行うことが可能である。
【００５９】
また、図５に示すごとく、ハンガーパイプ１０の形態においても、カートリッジ式容器は物掛け用部材１２の内部に収容されて隠されることとするため、ハンガーパイプ１０の意匠性を損なうことなく、本発明を実施することが可能となる。特に、意匠性に優れたハンガーパイプや、金属製のハンガーパイプについては、例えば、カートリッジ式容器がタオル掛けに吊るされるなどすると、意匠性を損なうこととなるが、以上の実施形態によれば、このような不具合を回避することができる。
【００６０】
また、図５に示すごとく、ハンガーパイプ１０について、物掛け用部材１２が長尺となる場合においては、カートリッジ式容器を交換する際に、物掛け用部材１２を取り外す作業の手間が大きくなる。そこで、物掛け用部材１２を構成する外パイプ部材と内パイプ部材の長手方向の中途部に、小窓と、その小窓に対して着脱自在の蓋体を設けることにより、この小窓を介してカートリッジ式容器の交換を容易に行える構成としてもよい。このほかにも、支持部材１４・１４において、同様に小窓と蓋体を設け、支持部材の小窓から内パイプ部材に対してカートリッジ式容器を挿入、取り出し可能とする構成なども考えられる。
【００６１】
また、図５に示すごとく、ハンガーパイプ１０の実施形態は、ハンガー１３や物を掛けるための筒状のものであって、クローゼットなどの閉じられた空間を形成する収納庫内に設置される形態のほか、キャスターにより室内を移動可能とする移動式の形態なども考えられる。なお、このように室内に設置される場合においては、抗菌成分Ｋの室内への拡散を防ぐとともに、衣類への抗菌の効果を高めることから、ハンガーパイプ及び衣類を覆うためのカバーを併用することが好ましい。
【実施例３】
【００６２】
図６及び図７に示すごとく、実施例３は、物掛け装置としてタオル掛け３０を構成する場合の例である。
タオル掛け３０は、タオル３５（図７）等の布類が掛けられる物掛け用部材３２と、物掛け用部材３２の端部分を支持し、かつ、タオル３５の重量によって物掛け用部材３２が回動した際に、抗菌成分Ｋを放出させるためのホルダー３６と、を備えて構成されるものである。なお、図６及び図７は、タオル掛け３０の一端側に配置されるホルダー３６と、その付近の物掛け用部材３２について示すものであり、他端側にも同様の構成が存在するものとする。また、抗菌成分Ｋが自然に放出されないように、ホルダー３６の素材は、例えば、ナイロン、ポリエステルや金属（アルミニウム、ステンレス）にて構成されることが好ましい。
【００６３】
また、図６及び図７に示すごとく、物掛け用部材３２は、長尺のパイプ部材にて構成されており、その周面には、抗菌成分Ｋを放出するための複数の通気孔３２ａ・３２ａが形設されている。また、この物掛け用部材３２の端部は開放されており、その開放端部３２ｂがホルダー３６の側壁３６ａに対向するように構成されている。
【００６４】
また、図６及び図７に示すごとく、ホルダー３６は、内部空間３６ｃを有する箱型に構成されており、内部空間３６ｃには、抗菌剤Ｚが入ったカートリッジ式容器３３が収納されている。また、ホルダー３６には、小窓と、これを塞ぐ蓋体などが設けられる構成とし、抗菌剤Ｚが消耗した際には、カートリッジ式容器３３を交換できるようにしている。
【００６５】
また、図６及び図７に示すごとく、ホルダー３６の側壁３６ａには、略逆Ｖ字状の回動部材３７が回動自在に設けられており、回動部材３７の略逆Ｖ字の折り返し箇所の部位において、物掛け用部材３２の開放端部３２ｂが連結されるようになっている。
【００６６】
また、図６及び図７に示すごとく、回動部材３７の一側の端部は、回動支点部３７ａとして側壁３６ａに対して回動可能に支持されている。また、この回動支点部３７ａの箇所には、ばね機構３７ｃが設けられており、このばね機構３７ｃによって回動部材３７が図６（ａ）において時計周り方向Ｒに回動付勢されるようになっている。また、図７（ａ）に示すごとく、タオル３５が掛けられた際には、このタオル３５の自重により、ばね機構３７ｃの付勢力に抗して、図において反時計周り方向Ｌに回動されるようになっている。
【００６７】
また、図６及び図７に示すごとく、ホルダー３６の側壁３６ａには、放出孔３６ｂが形設されており、図６（ａ）（ｂ）に示す状態において、この放出孔３６ｂが回動部材３７のもう一方の端部で形成する蓋部３７ｂによって閉じられるようになっている。また、図７（ａ）（ｂ）に示す状態では、回動部材３７が開放して蓋部３７ｂが下方へ移動するとともに、開放端部３２ｂが放出孔３６ｂの位置に一致することで、放出孔３６ｂを介して内部空間３６ｃと物掛け用部材３２の内部空間３２ｃが連通するようになっている。
【００６８】
以上の構成とすることで、図６（ａ）（ｂ）に示すごとく、物掛け用部材３２にタオルなどが掛けられない場合においては、ばね機構３７ｃの付勢力によって物掛け用部材３２が上側に位置するとともに、回動部材３７の蓋部３７ｂによって放出孔３６ｂが閉じられるため、抗菌成分Ｋの無駄な放出を避けることができる。
【００６９】
一方で、図７（ａ）（ｂ）に示すごとく、物掛け用部材３２にタオル３５などが掛けられた場合においては、ばね機構３７ｃの付勢力に抗して物掛け用部材３２が下側に位置するとともに、物掛け用部材３２の開放端部３２ｂが放出孔３６ｂと連通し、これにより、物掛け用部材３２の内部空間３２ｃに抗菌成分Ｋが流入するとともに、通気孔３２ａ・３２ａを通じて抗菌成分Ｋが放出されることとなる。つまり、タオル３５が掛けられた場合にのみ抗菌成分Ｋを放出させることができ、抗菌成分Ｋの無駄な放出がなく、抗菌成分Ｋを効果的に利用できることとなる。
【００７０】
また、本実施例３では、物掛け装置の例として、タオル掛けを用いて説明したが、ハンガーパイプについても同様に本実施例３の構成を適用することができる。また、タオルの自重によって物掛け用部材及び回動部材を回動させることで放出孔の開閉を行うこととしたが、例えば、物掛け用部材を上下に移動させる構成とすることによって、放出孔の開閉を行う構成とすることも考えられ、放出孔の開閉の形態は、本実施例３で示した構成に限定されるものではない。さらに、本実施例３の物掛け用部材について、実施例１における二重構造のパイプ部材の形態を適用することで、放出される抗菌成分の放出量を任意に設定可能としてもよい。
【実施例４】
【００７１】
図８乃至図１１に示すごとく、本実施例４は、物掛け装置としてカーテン５５を掛けるためのカーテンレール５６を構成する場合の例である。
【００７２】
図８乃至図１１に示すごとく、建物開口部５３においては、サッシ５１とカーテン５５が閉じられた状況において、両者の間に形成される空間が閉鎖空間４４として構成され、この閉鎖空間４４において空気層が形成されることにより、特に冬季に室内外の気温差が大きくなる場合においては、この空気層による断熱効果によって、サッシ５１のガラス面５８や、サッシ上枠５９などへの結露の発生防止が期待できるものとなっている。また、近年では、遮熱性を有するカーテンも広く市販されるようになっており、このような遮熱性を有するカーテンが使用されている場合には、カーテン自体が発揮する遮熱性によって、より効果的な結露の発生防止を行えるものと考えられる。
【００７３】
また、図８乃至図１１に示すごとく、カーテン５５は、カーテンレール５６に対してリング状のフック５７・５７を介して吊り下げられる構成としており、カーテン５５を横方向に移動させることで、カーテン５５の開閉が行われるようになっている。また、カーテン５５の丈については、閉鎖空間４４の空気層における断熱効果を高める観点から、床面との間でわずかな隙間が形成される程度に設定されることが好ましい。
【００７４】
また、図８乃至図１１に示すごとく、カーテンレール５６は、閉鎖空間４４内に抗菌成分Ｋを放出する抗菌装置４０として構成されている。具体的には、図１０及び図１１に示すごとく、カーテンレール５６は、筒状のカートリッジ式容器７１と、カートリッジ式容器７１を着脱可能に収納する内パイプ部材６１と、内パイプ部材６１が内側に挿入され内パイプ部材６１に対して相対移動可能に構成される外パイプ部材６２と、を有しており、外パイプ部材６２をカーテン５５の開閉に応じて移動させることで、外パイプ部材６２から抗菌成分Ｋが放出される構成とするものである。また、本実施例では、内パイプ部材６１と外パイプ部材６２によって、カーテン５５を掛けるための物掛け用部材が構成されることとしている。
【００７５】
また、図１０及び図１１に示すごとく、内パイプ部材６１は、図示せぬカーテンボックスの壁面や、室内壁面などに支持されるようにして設けられる。また、内パイプ部材６１は、両端が閉じられる長尺の筒状部材であって、カートリッジ式容器７１を内部に収容するための内部空間６１ｄを有している。また、この内部空間６１ｄに収められるカートリッジ式容器７１を交換可能とするために、内パイプ部材６１と外パイプ部材６２の長手方向の中途部には、小窓と、その小窓に対して着脱自在の蓋体を設ける形態が考えられる。また、このほか内パイプ部材６１の端部に小窓と蓋体を設け、この小窓から内パイプ部材に対してカートリッジ式容器を挿入、取り出し可能とする形態なども考えられる。
【００７６】
また、図１０及び図１１に示すごとく、外パイプ部材６２は、内パイプ部材６１に対し軸方向にスライド可能に構成されている。また、内パイプ部材６１と外パイプ部材６２には、それぞれ通気孔６１ａ・６２ａが形設されており、図１０に示すごとく、この外パイプ部材６２が図において左側にスライドして通気孔６１ａ・６２ａの位置が一致した場合に、これら通気孔６１ａ・６２ａを介して内パイプ部材６１の内部空間６１ｄと外部が連通し得るようになっている。
【００７７】
一方、図１１に示すごとく、外パイプ部材６２が図において右側にスライドした際には、通気孔６１ａ・６２ａの位置が一致せずに、これら通気孔６１ａ・６２ａを介した内パイプ部材６１の内部空間６１ｄと外部の連通が遮断され得るようになっている。なお、内パイプ部材６１及び外パイプ部材６２は、例えば、アルミ製やステンレス製のパイプ部材にて構成することができる。
【００７８】
また、図１０及び図１１に示すごとく、外パイプ部材６２の両端部にはそれぞれ突起部６２ｂ・６２ｃが設けられており、この突起部６２ｂ・６２ｃが、カーテン５５の開閉とともに移動するフック５７・５７に当接し得るようになっている。つまり、図１０に示すごとく、カーテン５５が閉じられた際には、図において最も左側にあるフック５７が突起部６２ｂに当接することで、突起部６２ｂが左方向へと押圧され、これに伴って外パイプ部材６２が左方向へと移動される。この外パイプ部材６２の左方向への移動は、内パイプ部材６１に設けた突起部６１ｂに突起部６２ｂが突き当たることで停止される。この状態では、上述のように、通気孔６１ａ・６２ａが一致することで、内パイプ部材６１の内部空間６１ｄに充満した抗菌成分Ｋが外部へと放出される。
【００７９】
一方で、図１１に示すごとく、カーテン５５が開かれた際には、図において最も右側にあるフック５７が突起部６２ｃに当接することで、突起部６２ｃが右方向へと押圧され、これに伴って外パイプ部材６２が右方向へと移動される。この外パイプ部材６２の右方向への移動は、内パイプ部材６１に設けた突起部６１ｃに突起部６２ｃが突き当たることで停止される。この状態では、上述のように、通気孔６１ａ・６２ａの位置が一致せずに、これら通気孔６１ａ・６２ａを介した内パイプ部材６１の内部空間６１ｄと外部の連通が遮断され、抗菌成分Ｋの外部への放出は行われないこととなる。
【００８０】
以上の構成により、図８、図９（ａ）、及び、図１０に示すごとく、カーテン５５が閉じられた際には、抗菌成分Ｋが抗菌装置４０（カーテンレール５６）から放出されることで、サッシ５１とカーテン５５の間の閉鎖空間４４に抗菌成分Ｋを充満させることが可能となって、この抗菌成分Ｋによって閉鎖空間４４内におけるカビ発生を防止することが可能となる。
【００８１】
一方、図９（ｂ）、及び、図１１に示すごとく、カーテン５５が開かれた際には、抗菌成分Ｋが抗菌装置４０（カーテンレール５６）から放出されないため、閉鎖空間４４が形成されない状況において、抗菌成分Ｋの無駄な放出を無くすことができる。つまり、抗菌成分Ｋは、カーテン５５の開閉に連動して放出、又は、放出の停止が行われるものであり、カーテン５５が閉じられて閉鎖空間４４が形成された場合にのみ、抗菌成分Ｋの放出が行われる構成となる。
【００８２】
また、本実施例４で説明した横方向に移動させて開閉するカーテンのほか、上下方向に移動させて開閉するロールカーテンについても、例えば、巻き取りパイプ内にカートリッジ式容器を収めるとともに、ロールカーテンが完全に下がりきった状態において、巻き取りパイプの内部から外部へと抗菌成分が放出される形態とすることによって、本実施例４と同様にカビ発生を防止することが可能となる。また、図９（ａ）（ｂ）に示す形態では、一枚のカーテン５５が使用される片開きの形態とするものであるが、二枚のカーテンが使用される両開きの形態についても、各カーテンについてそれぞれ抗菌装置４０（カーテンレール５６）を設けることで、本発明を実施することが可能である。
【００８３】
また、既存のカーテンレールを、本実施例４のカーテンレールと交換することで、図８、図９に示す構成を実現することが可能となる。つまり、カーテンレールを交換するだけで、本発明を実施可能となるのである。また、この場合、既存のカーテンをそのまま使用することも可能であり、この既存のカーテンによって、閉鎖空間を形成する機能を発揮させることも可能である。さらに、既存のカーテン、及び、カーテンレールを残したまま、新たに、リフォームにおいて、実施例４の構成を追加的に設置することも可能であり、これによれば、既存の構成を残したまま、後付で本発明を実施することが可能となる。
【産業上の利用可能性】
【００８４】
本発明は、洗面室、浴室、トイレ、キッチンなどの水周り設備に設けられるタオル掛けや布掛け、また、クローゼット、ロッカーなどの衣類収納に設けられるハンガーパイプ、さらには、カーテンが掛けられるカーテンレールなど、様々な箇所に設置される物掛け装置について適用可能である。
【符号の説明】
【００８５】
１    タオル掛け
２    物掛け用部材
２Ａ    外パイプ部材
２ａ    通気孔
２Ｂ    内パイプ部材
２ｂ    通気孔
３    カートリッジ式容器
４    支持部材
５    タオル
Ｋ    抗菌成分
Ｓ    空間
Ｚ    抗菌剤
【図１】
2012040249.tif 000003
【図２】
2012040249.tif 000004
【図３】
2012040249.tif 000005
【図４】
2012040249.tif 000006
【図５】
2012040249.tif 000007
【図６】
2012040249.tif 000008
【図７】
2012040249.tif 000009
【図８】
2012040249.tif 000010
【図９】
2012040249.tif 000011
【図１０】
2012040249.tif 000012
【図１１】
2012040249.tif 000013